(57)【特許請求の範囲】
【請求項１】
人工透析に使用された尿素を含む使用済透析液と接触したことにより前記尿素が付着したイオン交換樹脂を繰り返し再生するイオン交換樹脂再生方法を実施するイオン交換樹脂再生装置であって、
前記イオン交換樹脂再生方法は、
第一の前記使用済透析液を人工透析装置から前記イオン交換樹脂が充填された除去槽に送り込み、第一の前記使用済透析液に含有される尿素を前記イオン交換樹脂に付着させて除去し、前記尿素が除去された第一の前記使用済透析液を前記イオン交換樹脂から分離する工程と、
尿素を溶解させる有機溶剤を前記除去槽に注入して前記イオン交換樹脂に接触させることにより、前記イオン交換樹脂に付着した前記尿素を脱離させる第一の再生工程と、
第一の前記使用済透析液とは異なる第二の前記使用済透析液を人工透析装置から前記除去槽に送り込み、第二の前記使用済透析液に含有される尿素を前記イオン交換樹脂に付着させて除去し、前記尿素が除去された第二の前記使用済透析液を前記イオン交換樹脂から分離する工程と、
前記第一の再生工程後に、前記イオン交換樹脂から分離した使用済みの前記有機溶剤を蒸留して精製し、精製された前記有機溶剤を前記除去槽に注入して、第二の前記使用済透析液が分離された前記イオン交換樹脂に接触させることにより、前記イオン交換樹脂に付着した前記尿素を脱離させる第二の再生工程と、を含み、
前記イオン交換樹脂再生装置は、
人工透析装置から第一および第二の前記使用済透析液が送り込まれる処理液槽と、前記処理液槽から前記除去槽に前記使用済透析液を送り込む第一のラインと、
尿素を溶解させる有機溶剤が充填された薬液槽と、前記薬液槽と前記除去槽とを連結し前記有機溶剤を前記除去槽に注入する第二のラインと、を含み、前記使用済透析液と接触したことにより前記尿素が付着したイオン交換樹脂に前記有機溶剤を接触させて当該被除去物質を脱離させる再生手段と、
前記イオン交換樹脂から分離した使用済みの前記有機溶剤を蒸留する蒸留部と、
前記蒸留部と前記薬液槽とを連結し、前記蒸留部で蒸留された使用済みの前記有機溶剤を前記薬液槽に送り込む第三のラインと、を備えることを特徴とするイオン交換樹脂再生装置。
【請求項２】
直列的に連結された複数の前記除去槽を有し、
前記処理液を複数の前記除去槽に直列的に流通させる共有流通路を有し、かつ、
前記再生手段が、前記イオン交換樹脂が収容された複数の前記除去槽それぞれに並列的に前記有機溶剤を供給して前記イオン交換樹脂を再生する手段である請求項１に記載のイオン交換樹脂再生装置。
【請求項３】
複数の前記除去槽それぞれは、前記有機溶剤を排出させるための排出路を個別に有しており、
前記有機溶剤は、前記除去槽から前記排出路を通じて複数の前記除去槽の下流に導かれる請求項２に記載のイオン交換樹脂再生装置。
【発明の詳細な説明】
【技術分野】
【０００１】
本発明はイオン交換樹脂の再生方法、イオン交換樹脂再生装置、および使用済透析液再生方法に関する。
【背景技術】
【０００２】
合成樹脂の一種であるイオン交換樹脂は、分子構造の一部にイオン化可能な構造の官能基を有している。処理液とイオン交換樹脂とを接触させることにより、イオン交換樹脂に処理液中に含有される被除去物質が付着し、当該処理液から被除去物質が除去される。一定量の被除去物質がイオン交換樹脂に付着するとイオン交換能が低減し、または失われる。しかし、その後にイオン交換樹脂に付着した被除去物質を脱離させることによりイオン交換樹脂を再生可能であることが知られる。
【０００３】
イオン交換樹脂の再生方法としては、一般的に酸性またはアルカリ性の薬液をイオン交換樹脂に注入することにより、当該イオン交換樹脂に付着した被除去物質を脱離させる方法が知られている。具体的には、陽イオン交換樹脂に対しては塩酸水溶液または硫酸水溶液などが薬液として用いられ、また陰イオン交換樹脂に対しては水酸化ナトリウム水溶液等が用いられる（例えば特許文献１）。
尚、特許文献２については後述する。
【先行技術文献】
【特許文献】
【０００４】
【特許文献１】特開２０００−２５４５２４号公報
【特許文献２】特開２００１−１９９９１８号公報
【発明の概要】
【発明が解決しようとする課題】
【０００５】
たとえば、被除去物質の付着した陽イオン交換樹脂に酸性の薬液を注入することにより、被除去物質を放出させるとともに官能基に水素イオンを取り込むことができ、これによって陽イオン交換樹脂のイオン交換能を再生し得ることが広く知られている。
上述する従来から知られたイオン交換樹脂の再生方法は、イオン交換樹脂のイオン交換能を鑑み理論的にも実質的に妥当な方法である。そのため、イオン交換樹脂の新規な再生方法についての提案はほとんどなされていない。
【０００６】
本発明は、イオン交換樹脂の新規な再生方法および再生装置ならびに上記再生方法を用いた使用済透析液再生方法を提案する。
【課題を解決するための手段】
【０００８】
また本発明のイオン交換樹脂再生装置は、本発明のイオン交換樹脂再生方法を実施するイオン交換樹脂再生装置であって、人工透析装置から第一および第二の前記使用済透析液が送り込まれる処理液槽と、前記処理液槽から前記除去槽に前記使用済透析液を送り込む第一のラインと、極性を有する有機溶剤が充填された薬液槽と、前記薬液槽と前記除去槽とを連結し前記有機溶剤を前記除去槽に注入する第二のラインと、を含み、前記使用済透析液と接触したことにより前記尿素が付着したイオン交換樹脂に前記有機溶剤を接触させて当該被除去物質を脱離させる再生手段と、前記イオン交換樹脂から分離した使用済みの前記有機溶剤を蒸留する蒸留部と、前記蒸留部と前記薬液槽とを連結し、前記蒸留部で蒸留された使用済みの前記有機溶剤を前記薬液槽に送り込む第三のラインと、を備えることを特徴とする。
【発明の効果】
【００１０】
本発明のイオン交換樹脂再生方法およびイオン交換樹脂再生装置は、イオン交換樹脂の薬液として有機溶剤を用いる新規な方法および装置である。本発明は、イオン交換樹脂の再生に関し、薬液として有機溶剤を使用し得ることを明らかにし、薬液の選択の幅を広げ、またイオン交換樹脂再生方法の利便性や効率を向上させ得る。
【００１１】
また本発明の使用済透析液再生方法によれば、これまで廃棄されていた使用済透析液を繰り返し再生して使用することが可能である。
【図面の簡単な説明】
【００１２】
【図１】本発明の第一実施形態にかかるイオン交換樹脂再生装置の概念図である。
【図２】本発明の第二実施形態にかかるイオン交換樹脂再生装置の概念図である。
【発明を実施するための形態】
【００１３】
以下、本発明の実施形態について説明する。本発明の説明に用いるすべての図面において、同様の構成要素には同一の符号を付し、重複する説明は適宜に省略する。
本発明のイオン交換樹脂再生装置の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１４】
本発明のイオン交換樹脂再生方法（以下、単に本発明の方法ともいう）は、極性をもつ有機化合物である被除去物質を含む処理液と接触したことにより被除去物質が付着したイオン交換樹脂を再生する。本発明の方法は、有機溶剤をイオン交換樹脂に接触させることにより、イオン交換樹脂に付着した被除去物質を脱離させる再生工程を含むことを特徴とする。
尚、本発明においてイオン交換樹脂と処理液とが接触するとは、イオン交換樹脂と処理液とが直接に接触する態様、および間接に接触する態様のいずれも含む。イオン交換樹脂と処理液とが直接に接触する態様としては、イオン交換樹脂の充填されたカラムに処理液を滴下するカラム方式、またはイオン交換樹脂と処理液とを撹拌混合するバッチ方式などを例示することができる。イオン交換樹脂と処理液とが間接に接触する態様としては、処理液または処理液中に含有される尿素が通過可能な膜を介してイオン交換樹脂と処理液を対峙させる方法を例示することができる。当該膜を透過し、イオン交換樹脂側に移動した処理液または当該尿素は、イオン交換樹脂と直接に接触する。上記膜は、フィルム状、または中空糸などのチューブ状など種々の形態であってよい。
【００１５】
本発明の方法は、新規のイオン交換樹脂再生方法の実施を可能とする。より具体的には、本発明の方法は、イオン交換樹脂の再生に関し薬液として有機溶剤を使用する。本発明により、イオン交換樹脂再生に関し、薬液の選択の幅が広げられ、利便性や汎用性が拡張される。
【００１６】
本発明においてイオン交換樹脂は、処理液に含有される被除去物質を付着することによって当該処理液から被除去物質を除去可能なものであって、一般的にイオン交換樹脂として理解される樹脂から適宜選択される。上記イオン交換樹脂は、陽イオン交換樹脂と陰イオン交換樹脂とに大別される。上記陽イオン交換樹脂は、強酸性陽イオン交換樹脂および弱酸性陽イオン交換樹脂を含み、上記陰イオン交換樹脂は、強塩基性陰イオン交換樹脂および弱塩基性陰イオン交換樹脂を含む。
【００１７】
本発明においてイオン交換樹脂の再生とは、処理液中に含有される被除去物質が付着したイオン交換樹脂から当該被除去物質の一部または全部を脱離させることをいう。再生されたイオン交換樹脂は、再度、処理液に含有される被除去物質の除去に用いられることが可能である。
【００１８】
本発明における被除去物質とは、極性をもつ有機化合物であればよく、特に限定されないが、たとえば尿素またはグルコースなどを例示することができる。換言すると被除去物質は、分子内に電気的な偏りを有するとともに、炭素を含む化合物である。被除去物質は、極性を有することによって、イオン交換樹脂に設けられたイオン化可能な構造の官能基に付着し得る。ここで付着とは、イオン交換樹脂の周囲に被除去物質が一時的に増加することを広く包含し、たとえば、イオン交換樹脂と被除去物質とのイオン交換、またはイオン交換樹脂と被除去物質との水素結合などを含む。上記イオン交換とは、イオン交換樹脂（特にはイオン交換樹脂のイオン交換能を有する官能基）からイオンが放出されるとともに、処理液中に含有される化合物がイオン化してイオン交換樹脂に取り込まれるイオン交換を意味する。また上記水素結合とは、イオン交換樹脂（特にはイオン交換樹脂のイオン交換能を有する官能基）に対し、被除去物質が静電的に分子間結合することを意味する。
【００１９】
処理液は、被除去物質を含有する液状体である。処理液に含まれ得る液体は、特に限定されず、溶媒または分散媒などを広く含む。処理液には、被除去物質以外の任意の他の化合物が含まれていてもよい。
【００２０】
本発明に用いられる有機溶剤とは、被除去物質をイオン交換樹脂から脱離可能な溶媒であればよく、例えば、メタノールもしくはエタノールなどのアルコール、またはアセトンなどを挙げることができるが、これらに限定されない。本発明の方法において、有機溶剤は、脱離される被除去物質に対する溶解度が、当該被除去物質が付着されたイオン交換樹脂に対する溶解度よりも大きい有機溶媒を選択することが好ましい。
【００２１】
本発明の方法において用いられる有機溶剤は、アルコールを含むことが好ましい。特に、有機溶剤が実質的にアルコールからなることが好ましい。アルコールは一般的に有機溶剤の中でも取扱いが容易であるからである。
【００２２】
上記アルコールとしては、メタノールまたはエタノールを含むものが選択されることが好ましい。
特には、有機溶剤として、メタノールを主成分とする有機溶剤、またはエタノールを主成分とする有機溶剤、またはメタノールおよびエタノールの混合アルコールを主成分とする有機溶剤を用いることが好ましい。ここで主成分とは、有機溶剤１００質量％に対し、主たる成分として６０質量％以上、好ましくは８０質量％以上、より好ましくは９０質量％以上、特に好ましくは９５質量％以上含むことを意味する。たとえば、アルコールは、濃度７０％以上であり、濃度８０％以上のものが好ましく、濃度９０％以上のものを用いることがより好ましく、濃度９５％以上のものを用いることがさらに好ましく、濃度９９％以上のものが特に好ましい。より具体的には、本発明において、試薬１級である純度９９．５％のアルコール、または試薬特級である純度９９．８％のアルコールが特に好ましく用いられる。
【００２３】
有機溶剤の主成分としてメタノールまたはエタノールが用いられることによって、これらのアルコールに溶解度の高い被除去物質が付着したイオン交換樹脂を再生することができる。具体的な例としては、尿素またはグルコースなどの被除去物質が付着したイオン交換樹脂に対し、メタノールまたはエタノールといったアルコールを接触させることによって、被除去物質をイオン交換樹脂から脱離させることが可能である。
【００２４】
例えば尿素含有液を強酸性陽イオン交換樹脂に対し接触させた場合、尿素を強酸性陽イオン交換樹脂に付着させて除去可能であることが知られる。従来は、被除去物質が付着した強酸性陽イオン交換樹脂の再生には、薬液として塩酸はまたは硫酸などの酸性水溶液を用いることが技術常識であった。
これに対し、薬液としてアルコール（例えばメタノールまたはエタノール）を選択し、尿素が付着した強酸性陽イオン交換樹脂に接触させることにより、強酸性陽イオン交換樹脂から尿素を高効率で脱離させることができる。かかる理由は明らかではないが、尿素は、濃度９９．８％以上のメタノール１Ｌに対し１６７ｇ程度溶解し、また濃度９９．８％以上のエタノール１Ｌに対し５０ｇ程度溶解するなど、アルコールに対する溶解度が高い。そのため、従来のようにイオン交換による再生ではなく、溶解による脱離により尿素を強酸性陽イオン交換樹脂から脱離させることが可能であるものと思われる。
【００２５】
したがって、上記被除去物質が尿素を含む場合、本発明の方法によりイオン交換樹脂が良好に再生される。即ち、本発明の方法において再生されるイオン交換樹脂が、被除去物質として尿素を含む処理液を処理したイオン交換樹脂である場合、本発明の効果が非常に良好に発揮される。被除去物質として尿素を含む処理液（即ち、尿素含有液）は、工業廃棄物などであってもよいし、人工透析に使用された使用済透析液であってもよい。
より具体的には、本発明の方法において、尿素含有液を接触させることによって生じた、尿素が付着した強酸性陽イオン交換樹脂にアルコールを接触させることによって、強酸性陽イオン交換樹脂から効率良く尿素を脱離させることが可能である。そのため、たとえば使用済透析液から尿素を除去する除去工程に用いられた強酸性陽イオン交換樹脂を、有機溶剤に接触させることにより再生させることが可能である。本発明の方法を利用することにより、使用済透析液の再生において一度使用した強酸性陽イオン交換樹脂を再生し、繰り返し使用済透析液の再生に用いることが可能である。特にメタノールは、上述するとおり尿素の溶解度が非常に高い。そのため、メタノールを用いて再生された強酸性陽イオン交換樹脂は、使用前（尿素付着前）の付着能力に近いレベルまで再生することが可能であり、再生後の再利用における信頼性が高い。
【００２６】
尚、体重５０ｋｇから８０ｋｇ程度の成人が、一日、人工透析処置を受けた場合、当該成人から排除される尿素は約２０ｇから約３２ｇであり、使用される透析液は約１００Lから１５０Ｌ程度である。したがって、使用済透析液には、一般的には、約１３３ｍｇ／ｌから約３２０ｍｇ／ｌの濃度の尿素が含まれる。
【００２７】
薬液としてアルコールを選択する本発明の態様は、上述する再生工程後に、イオン交換樹脂から分離した使用済アルコールを蒸留し、使用済みアルコールを精製する蒸留工程をさらに有してもよい。このように薬液としてアルコールを選択することにより、薬液の精製が容易になり、薬液としてアルコールを再利用することが可能となる。
【００２８】
上述する本発明の方法は、本発明のイオン交換樹脂再生装置（以下、本発明の装置ともいう）を用いて実施可能である。
即ち、本発明の装置は、被除去物質を含む処理液と接触したことにより被除去物質が付着したイオン交換樹脂に有機溶剤を接触させて当該被除去物質を脱離させる再生手段を備える。本発明の装置は、本発明の方法とともに、新規なイオン交換樹脂の再生を実現する。
【００２９】
上記再生手段とは、被除去物質が付着したイオン交換樹脂と有機溶剤とを接触させることが可能な手段であればよい。再生手段において当該接触を実行する具体的な方法または時間などの諸条件は適宜決定することができる。再生手段の例としては、カラムにイオン交換樹脂を充填し当該カラムに有機溶剤を通液する手段、有機溶剤と被除去物質が付着したイオン交換樹脂とを接触させて攪拌混合する手段、または被除去物質が付着したイオン交換樹脂に有機溶剤をシャワーなどで吹きかける手段などを挙げることができる。ただし、再生手段の具体的構成は、これらに限定されない。本発明の装置は、再生手段以外に、上述する蒸留工程を実施する蒸留手段など任意の他の手段を有していてもよい。
【００３０】
尚、本発明の方法および装置は、被除去物質を含む処理液とイオン交換樹脂とを接触させて被除去物質を除去する除去工程（除去手段）と、イオン交換樹脂の再生工程（再生手段）とを、異なる装置によって実施してもよいし、同一の装置で実施してもよい。
以下に、除去工程（除去手段）と再生工程（再生手段）とが同一の装置で行われる本発明の実施形態について説明する。
【００３１】
（第一実施形態）
以下に、本発明の方法および装置の第一実施形態について図１を用いて説明する。図１は、本発明の第一実施形態にかかるイオン交換樹脂再生装置１００（以下、単に装置１００ともいう）の概念図である。
【００３２】
装置１００は、上述する再生手段に加え、以下の構成を備える。即ち、装置１００は、イオン交換樹脂８０と、処理液２２と、を接触させて処理液２２中に含有される被除去物質（不図示）をイオン交換樹脂８０に付着させて除去する除去槽１０と、処理液２２をイオン交換樹脂８０に接触させて得た処理済液５２をイオン交換樹脂８０から分離する分離手段と、をさらに備える。装置１００によれば、一つの装置において、処理液２２の処理と、当該処理に用いられたイオン交換樹脂８０の再生を行うことができる。そのため、処理液２２の処理を連続的にまたは繰り返して行うことが可能である。
【００３３】
また装置１００を用いることにより、一つの装置において、上述する再生工程に加え、除去工程および分離工程を備える本発明の方法を実施することができる。ここで除去工程は、イオン交換樹脂８０と、処理液２２と、を接触させて処理液２２中に含有される被除去物質をイオン交換樹脂８０に付着させて除去する工程である。また分離工程は、処理液２２をイオン交換樹脂８０に接触させて得た処理済液５２をイオン交換樹脂８０から分離する工程である。たとえば、上記除去工程および分離工程の実施後に、再生工程が実施される。
ただし、装置１００は、再生工程、除去工程、および分離工程を備える本発明の方法を実施するための一例に過ぎず、本発明の方法は、二つ以上の装置を用いてそれぞれの工程を実施することを除外するものではない。
【００３４】
以下に図１を用いて装置１００の詳細を説明する。
装置１００は、イオン交換樹脂８０が充填された除去槽１０を備える。本実施形態では、除去槽１０を一つ備える装置１００を例に説明するが、除去槽１０の数は適宜変更することができる。除去槽１０には、後述する処理液２２に含有された被除去物質を付着する能力のあるイオン交換樹脂８０が充填される。イオン交換樹脂８０は、１種のイオン交換樹脂、化学構造の異なる２種以上のイオン交換樹脂、または陽イオン交換樹脂と陰イオン交換樹脂との混床であってもよい。
【００３５】
除去槽１０は、流通可能なライン１１２により、処理液２２が収容された処理液槽２０と連結されており、適宜、処理液槽２０から除去槽１０に対し処理液２２が送り込まれる。尚、本明細書の説明においてラインという場合には、特段の断りがない場合には、液状体が流通可能な流路を意味する。処理液槽２０には、たとえば使用済透析液などの尿素含有液が収容されてもよいが、これに限定されない。尚、処理液槽２０に処理液２２として尿素含有液が収容される場合には、イオン交換樹脂８０には強酸性陽イオン交換樹脂が含まれることが望ましく、実質的にイオン交換樹脂８０が強酸性陽イオン交換樹脂から構成されてもよい。たとえば処理液２２は、図示省略するラインにより人工透析装置などの他の装置から処理液槽２０に対し送り込まれてもよい。
【００３６】
除去槽１０としては、たとえばイオン交換樹脂８０が充填されたカラム、またはイオン交換樹脂８０と処理液２２とを攪拌混合可能な混合装置などを挙げることができるがこれに限定されない。
【００３７】
ライン１１２から除去槽１０に処理液２２が送り込まれ、イオン交換樹脂８０と、処理液２２と、が接触し、処理液２２中に含有される被除去物質がイオン交換樹脂８０に付着する。これにより装置１００において除去工程が実施される。
【００３８】
上述のとおり、処理液２２をイオン交換樹脂８０に接触させて除去工程を実施することにより処理済液５２が得られる。処理済液５２は、装置１００における分離手段によりイオン交換樹脂８０から分離される。装置１００における分離手段は、処理済液５２とイオン交換樹脂８０とを分離可能な範囲において特に限定されない。たとえば分離手段として、イオン交換樹脂８０が充填されたカラムである除去槽１０から、除去工程の実施により得られた処理済液５２を、自重または加圧をかけることにより排出させてもよい。また別の分離手段として、除去工程後、処理済液５２およびイオン交換樹脂８０の混合物から、イオン交換樹脂８０を選択的に取り出すことによって両者を分離した後、除去槽１０から処理済液５２を取り出してもよい。以上により装置１００において分離工程が実施される。
【００３９】
分離工程の実施によってイオン交換樹脂８０から分離された処理済液５２は、たとえばライン１１４によって処理済液槽５０に送り込まれ収容される。ライン１１４は、除去槽１０と処理済液槽５０とを連結する。本実施形態では、ライン１１４には開閉弁１２５が設けられている。開閉弁１２５は、装置１００において、除去工程および分離工程が実施されているとき開放されるとともに、後述する再生工程が実施されるときには閉止される。本実施形態では、上述のとおり除去工程および分離工程が終了した後の除去槽１０には、被除去物質が付着したイオン交換樹脂８０が存在する。
【００４０】
装置１００は、被除去物質が付着したイオン交換樹脂８０に薬液である有機溶剤３２を接触させて当該被除去物質を脱離させる再生手段を有する。これにより装置１００において再生工程が実施可能である。再生工程の実施により、イオン交換樹脂８０は、再生されて被除去物質の付着能が回復する。
再生手段は、被除去物質が付着したイオン交換樹脂８０と有機溶剤３２とを接触させることができる範囲において特に限定されない。たとえば、装置１００は、再生手段として、有機溶剤３２が充填された薬液槽３０と除去槽１０とを連結するライン１１８を備えており、ライン１１８を通じて有機溶剤３２を除去槽１０に注入し、有機溶剤３２とイオン交換樹脂８０とを接触させることが可能である。尚、図１では、ライン１１８とライン１１２とが独立に除去槽１０に連結された例を示しているが、ライン１１８とライン１１２とは中間部において合流し、一本の流通路として除去槽１０に連結されてもよい（図示省略）。
【００４１】
図示省略する再生手段の他の例としては、被除去物質が付着したイオン交換樹脂８０を除去槽１０から取り出し、除去槽１０とは異なる他の環境で有機溶剤３２と有機溶剤３２とを接触させることによる再生手段により再生工程を実施してもよい。
【００４２】
装置１００において、再生手段により再生工程が実施された後、イオン交換樹脂８０から脱離した被除去物質を含有する有機溶剤３２はイオン交換樹脂８０から分離される。ここでの分離手段は特に限定されず、処理済液５２をイオン交換樹脂８０から分離する分離手段（分離工程）の説明が適宜参照される。
【００４３】
本実施形態の装置１００は、蒸留部６０および／または廃液槽７０を有しており、イオン交換樹脂８０から分離された有機溶剤３２は、蒸留部６０または廃液槽７０に送り込まれる。たとえば、分離された有機溶剤３２を再生する場合には、有機溶剤３２は、除去槽１０に設けられた排出路であるライン１２２により除去槽１０から排出され、ライン１２２と連結するライン１２８を流通して蒸留部６０に送り込まれる。また分離された有機溶剤３２を廃棄する場合には、有機溶剤３２は、ライン１２２により除去槽１０から排出され、ライン１２２と連結するライン１２６を流通して廃液槽７０に送り込まれてもよい。
【００４４】
本実施形態にかかる装置１００は、ライン１２２とライン１２６とライン１２８との分岐点に三方弁１２４を有しており、ライン１２２から流通する液状体を選択的にライン１２６またはライン１２８に流通させることができる。三方弁１２４は、たとえば、ライン１３２から流れる液状体を全遮断し、またはライン１２８に流通させ、またはライン１２６に流通させることを電磁的にまたは手動で切り替えることができる。
【００４５】
有機溶剤３２がアルコールである場合には、装置１００は、蒸留部６０を備えることが好ましい。蒸留部６０を備える装置１００は、蒸留部６０において、再生工程後にイオン交換樹脂８０から分離された有機溶剤３２（使用済アルコール）を蒸留し、被除去物質を実質的に含有しない有機溶剤３２（アルコール）を精製可能である。即ち、蒸留部６０において有機溶剤３２を蒸留する蒸留工程が実施される。蒸留部６０は、たとえば減圧によって有機溶剤３２を蒸留させて精製された有機溶剤３２を回収可能なエバポレータなどを含む。本実施形態では、図１に示すとおり、蒸留部６０は、ライン１５０によって薬液槽３０と連結されている。蒸留部６０によって蒸留されたアルコールである有機溶剤３２は蒸留部６０から排出され、ライン１５０を流通して薬液槽３０に送り込まれ、再度、イオン交換樹脂８０を再生する再生工程に利用され得る。
尚、従来、有機化合物等およびアルコールを含む水溶液から高い収率でアルコールを回収する回収方法としては、特許文献２に記載されるように、水溶液に適宜の添加剤を添加して、メタノールと、有機化合物等を回収する方法が提案されている。これに対し、本実施形態では、特段の添加剤を要せず、再生工程後にイオン交換樹脂８０から分離された有機溶剤３２（使用済アルコール）を蒸留部６０において蒸留し回収することができる。特に上述する好ましい濃度範囲であるアルコールを用いることにより、添加剤を用いずとも高い収率でアルコールを回収することができる。より具体的には、たとえば、被除去物質として尿素を含む使用済みメタノールである有機溶剤３２は、除去槽１０から排出された後、特段の添加剤を添加させることを要さずに、蒸留部６０において高効率（例えば７０％以上）に回収され得る。これによって使用済みメタノールから高純度のメタノールを回収することができる。
【００４６】
再生工程が実施され、次いでイオン交換樹脂８０と有機溶剤３２とが分離された後、再生されたイオン交換樹脂８０を洗浄するため、さらに洗浄工程を実施してもよい。たとえば、装置１００は、図１に示すとおり、純水などの洗浄液４２が収容された洗浄液槽４０を有する。洗浄液槽４０は、ライン１１６およびライン１１８により除去槽１０と連結されており、適宜のタイミングで純水などの洗浄液４２が除去槽１０に送り込まれる。除去槽１０に送り込まれた洗浄液４２は、イオン交換樹脂８０と接触するとともに除去槽１０に残留する有機溶剤３２を洗い流し洗浄することができる。尚、ライン１１８にはポンプ１２０が設けられており、有機溶剤３２または洗浄液４２を除去槽１０に流通させる際に、適宜、所定方向に対し有機溶剤３２または洗浄液４２に圧力をかけることができる。
【００４７】
以上に説明する第一実施形態の本発明の方法、または本発明の方法を実施可能な本発明の装置１００によれば、薬液として有機溶剤３２を用い、処理液２２を処理して被除去物質が付着したイオン交換樹脂８０を再生することができる。かかる再生に用いられた有機溶剤３２は、必要に応じて蒸留部６０において精製可能であるため、再度、薬液槽３０に戻され、イオン交換樹脂８０の再生に再利用可能である。尚、有機溶剤３２は、除去槽１０から排出された後、適宜、上述のとおり装置１００における蒸留部６０において精製されてもよいし、廃液７２として処理されてもよいし、または装置１００以外の装置にて精製されてもよい。
【００４８】
またイオン交換樹脂８０によって処理された処理済液５２は、被除去物質が除去されたため、再利用可能である。装置１００は、たとえば人工透析における使用済透析液を処理液２２とし、これを処理して再利用可能な透析液（処理済液５２）を得るとともに、使用済透析液の処理に用いられたイオン交換樹脂８０を再生して繰り返し使用することができる。したがってかかる観点から装置１００は使用済透析液の再生装置として用いることも可能である。また当該使用済透析液の再生装置により、使用済透析液の再生方法が実施可能である。
【００４９】
即ち、本発明は、以下の使用済透析液の再生方法を包含する。
本発明の使用済透析液再生方法は、強酸性陽イオン交換樹脂と、第一使用済透析液と、を接触させて第一使用済透析液中に含有される被除去物質である尿素を強酸性陽イオン交換樹脂に付着させて除去する除去工程を含む。当該除去工程を実施後、第一使用済透析液を強酸性陽イオン交換樹脂に接触させて得た処理済液である再生透析液を強酸性陽イオン交換樹脂から分離する分離工程を実施する。次いで、アルコールを強酸性陽イオン交換樹脂に接触させることにより、強酸性陽イオン交換樹脂に付着した尿素を脱離させる再生工程を実施する。当該再生工程で再生された強酸性陽イオン交換樹脂を用いて、第一使用済透析液とは異なる第二使用済透析液を用いて上述する除去工程および上述する分離工程を実施する。これによって繰り返し使用済透析液を再生することができる。
尚、第一使用済透析液と第二使用済透析液とが異なるとは、これらが一度の人工透析処理によって排出された使用済透析液ではないことを意味する。したがって、第二使用済透析液は、たとえば、第一使用済透析液を再生した透析液であって、第一使用済透析液が排出された人工透析処理とは別のときに行われた人工透析処理によって排出された使用済透析液である。
かかる趣旨からは、装置１００または後述する装置２００は、いずれも使用済透析液の再生装置とすることもできる。また本発明の使用済透析液の再生方法は、人工透析に用いられた使用済透析液を、再度、人工透析に供することを可能とする人工透析液の生産方法である。
尚、本発明の使用済透析液再生方法により得られた再生透析液は、透析液として再利用されるために、適宜、任意成分が添加される等して組成等が調整されてもよい。
【００５０】
（第二実施形態）
次に本発明の発明および装置に関する第二実施形態について図２を用いて説明する。図２は、本発明の第二実施形態にかかるイオン交換樹脂再生装置２００（以下、単に装置２００ともいう）の概念図である。第二実施形態は、以下に述べる点で第一実施形態と相違する。第二実施形態の構成のうち、第一実施形態と同様の構成については適宜、説明を割愛する。
【００５１】
第二実施形態にかかる装置２００は、装置１００と同様に、被除去物質（不図示）を含む処理液２２と接触したことにより被除去物質が付着したイオン交換樹脂８０に有機溶剤３２を接触させて被除去物質を脱離させる再生手段を備える。
加えて装置２００は、直列的に連結された複数の除去槽（第一除去槽１３０、第二除去槽１４０）を有し、処理液２２を複数の除去槽（第一除去槽１３０、第二除去槽１４０）に直列的に流通させる共有流通路を有する。そして本実施形態における再生手段は、イオン交換樹脂８０が収容された複数の除去槽（第一除去槽１３０、第二除去槽１４０）それぞれに並列的に有機溶剤３２を供給してイオン交換樹脂８０を再生する手段である。
【００５２】
上述のとおり、本実施形態の装置２００は、除去工程の実施において複数の除去槽（第一除去槽１３０、第二除去槽１４０）に対し処理液２２を直列的に流通させるのに対し、再生工程の実施において有機溶剤３２を並列的に流通させるという特徴を有する。かかる装置２００によれば、除去工程に用いられたイオン交換樹脂８０が収容された複数の除去槽（第一除去槽１３０および第二除去槽１４０）それぞれに、被除去物質で汚染されていない有機溶剤３２を注入することができる。そのため、複数の除去槽のいずれにおいても、イオン交換樹脂８０に付着した被除去物質を高効率で脱離させることが可能である。
【００５３】
以下に、図２を用いて装置２００の特徴を具体的に説明する。
図２に示すとおり、装置２００は、複数の除去槽として第一除去槽１３０および第二除去槽１４０を備えている。第一除去槽１３０は、ライン１１２により処理液槽２０と連結されており、ライン１１２を通じて処理液２２が送り込まれる第一番目の除去槽である。
第一除去槽１３０と第二除去槽１４０とは、ライン１１３により連結されている。ライン１１３は、第一除去槽１３０においてイオン交換樹脂８０と接触した処理液２２を排出するための排出路であるとともに、第一除去槽１３０においてイオン交換樹脂８０と接触した処理液２２を第二除去槽１４０に注入するための注入路である。
第二除去槽１４０は、ライン１１４により処理済液槽５０と連結されている。ライン１１３を通じて第二除去槽１４０に送り込まれた処理液２２は、第二除去槽１４０に収容されたイオン交換樹脂８０と接触し、ライン１１４から排出されて処理済液５２として処理済液槽５０に送り込まれる。
【００５４】
上述のとおり本実施形態では、処理液２２が、第一除去槽１３０および第二除去槽１４０を流通し、これらに収容されるイオン交換樹脂８０に接触することによって除去工程が実施される。即ち、本実施形態では、ライン１１２、第一除去槽１３０、ライン１１３、第二除去槽１４０、およびライン１１４が、この順で直列的に連結され、処理液２２を直列的に流通させる共有流通路をなす。
【００５５】
次に、本実施形態における再生手段について説明する。
本実施形態における装置２００は、イオン交換樹脂８０が収容された第一除去槽１３０および第二除去槽１４０それぞれに、並列的に有機溶剤３２を供給してイオン交換樹脂８０を再生する再生手段を備える。即ち、図２に示すとおり、装置２００は、有機溶剤３２が収容された薬液槽３０と、第一除去槽１３０および第二除去槽１４０とを連結するライン１１８を備えており、ライン１１８は、第一注入路１１８Ａと第二注入路１１８Ｂに分岐する。
第一注入路１１８Ａは、薬液槽３０から送られる有機溶剤３２を第一除去槽１３０に注入するための注入路である。また第二注入路１１８Ｂは、薬液槽３０から送られる有機溶剤３２を第二除去槽１４０に注入するための注入路である。装置２００は、第一注入路１１８Ａおよび第二注入路１１８Ｂを備えることにより、第一除去槽１３０および第二除去槽１４０それぞれに対し、被除去物質に汚染されていない薬液である有機溶剤３２を注入することができる。そのため、第一除去槽１３０または第二除去槽１４０に収容され、被除去物質が付着したイオン交換樹脂８０それぞれは、薬液槽３０から送られた有機溶剤３２に接触することによって良好に再生される。
【００５６】
本実施形態の装置２００では、複数の除去槽（第一除去槽１３０、第二除去槽１４０）それぞれが、有機溶剤３２を排出させるための排出路を個別に有している。有機溶剤３２は、各除去槽（第一除去槽１３０および第二除去槽１４０）から各排出路（第一排出路１３２Ａ、第二排出路１３２Ｂ）を通じて複数の除去槽（第一除去槽１３０、第二除去槽１４０）の下流に導かれている。
ここで各除去槽が排出路を個別に有しているとは、一の除去槽に設けられた一の排出路が、他の除去槽との合流を回避していることを意味する。即ち、一の除去槽から排出された有機溶剤３２は、複数の除去槽の下流側に到達するまで、他の除去槽に流通する有機溶剤３２と合流することが回避されている。
【００５７】
これにより、複数の除去槽（第一除去槽１３０、第二除去槽１４０）のうちの上流側に位置する除去槽（第一除去槽１３０）から排出された有機溶剤３２は、続いて、下流側に位置する除去槽（第二除去槽１４０）に送り込まれることが回避されている。尚、ここでいう上流および下流とは、薬液槽３０を上流側とし、蒸留部６０または廃液槽７０を下流側としてみた有機溶剤３２の流れ方向を意味する。また複数の除去槽の下流とは、装置２００に設けられた複数の除去槽のうち最も下流側に位置する除去槽（第二除去槽１４０）よりも下流側を指す。
【００５８】
かかる複数の排出路を備える装置２００によれば、一の除去槽（たとえば第一除去槽１３０）でイオン交換樹脂８０と接触することによって被除去物質を含むこととなった有機溶剤３２が、他の除去槽（たとえば第二除去槽１４０）に流れ込むことがない。
【００５９】
第一排出路１３２Ａおよび第二排出路１３２Ｂは、たとえば図２に示すように、第一除去槽１３０および第二除去槽１４０の下流で合流してライン１３２をなしてもよい。ライン１３２で合流した、被除去物質を含む有機溶剤３２は、ライン１３２からライン１２８を流通して蒸留部６０に送り込まれるか、またはライン１２６を流通して廃液槽７０に送り込まれる。図示省略する第二実施形態の変形例は、第一排出路１３２Ａおよび第二排出路１３２Ｂが互いに合流せず、それぞれ並列的に蒸留部６０または廃液槽７０に連続する態様を含む。
【００６０】
以上に本発明の第一実施形態および第二実施形態を説明したが、本発明は上述の実施形態に限定されるものではなく、本発明の目的が達成される限りにおける種々の変形、改良等の態様も含む。
たとえば、第一実施形態または第二実施形態では、処理液槽２０、除去槽１０、第一除去槽１３０、第二除去槽１４０、処理済液槽５０、蒸留部６０、廃液槽７０、薬液槽３０、洗浄液槽４０がいずれもラインにより連結され、液状物を、当該ラインを通じて移動させる例を説明した。しかし本発明の方法または装置はこれに限定されず、いずれかまたは全てのラインを省略し、手動を含む他の手段で液状物を、各槽または部の間において移動させてもよい。
また本発明の趣旨を逸脱しない範囲において、図１または図２において示す各ラインを、互いに合流させ共通のラインとし、または互いに独立させ個別のラインとすることができる。
【実施例】
【００６１】
以下のとおり本発明の実施例および比較例を実施した。各実施例および比較例では、処理液に含まれる被除去物質を除去するための第一回目の除去工程を実施した後、これに用いられたイオン交換樹脂を再生する再生工程を実施した。そして再生工程の実施によるイオン交換樹脂の再生を評価するために、再生されたイオン交換樹脂を用いて第二回目の除去工程を実施した。
【００６２】
（実施例１）
強酸性陽イオン交換樹脂Ａを１０ｇ充填したカラムを２本準備し、それぞれ第一カラム、第二カラムとした。第一カラムに注入された処理液が続けて第二カラムへと注入されるよう、第一カラムと第二カラムを直列的に連結した。強酸性陽イオン交換樹脂Ａとしてオルガノ株式会社が提供するＡｍｂｅｒｌｙｓｔ−１５（ＤＲＹ）を用いた。またカラムは１２φ（胴内径１２ｍｍ）×３００ｍｍのクロマト管を用いた。
実施例１に用いられる処理液である尿素含有液は、市販の尿素を純水に添加し、尿素濃度３５０ｍｇ／ｌとなるよう調整した。
当該尿素含有液５０ｍｌを、第一カラムに注入し第二カラム側から排出させて滴下し第一回目の除去工程および分離工程を実施した。尿素含有液を第一カラムに注入開始し、尿素含有液の全量を第二カラム側から排出するまでの時間が１時間となるよう尿素含有液の流速を調整した。上述のとおり第二カラム側から排出された処理済液を第一処理済液とした。
【００６３】
上述のとおり第一処理済液を得た後、第一カラムと第二カラムとの連結を解除し、それぞれのカラムに薬液として試薬１級のメタノール（純度９９．５％）５０ｍｌを２時間かけて滴下し再生工程を実施した。
【００６４】
再生工程が実施された後の第一カラムおよび第二カラムを、再度、直列に連結し、純水１００ｍｌを１時間かけて滴下し排出してカラム内に残存するメタノールを純水に置換し、強酸性陽イオン交換樹脂を洗浄した。そして上述と同様に調製された尿素含有液を用い、第一処理済液を得た方法と同様の方法で第二回目の除去工程および分離工程を実施し、第二処理済液を得た。
【００６５】
（実施例２）
強酸性イオン交換樹脂Ｂ（三菱化学株式会社製ダイヤイオンＲＣＰ１６０Ｍ）を２０ｇ充填したカラムを２本準備し、これらを第一カラムおよび第二カラムとしたこと以外は実施例１と同様に、第一回目の除去工程、および分離工程を実施し第一処理済液を得た。
次に、実施例１と同様に、再生工程を実施した。次いで第一カラムと第二カラムとを再度、直列的に連結し、カラム内に残存するメタノールを純水に置換して強酸性陽イオン交換樹脂を洗浄した。そして上述と同様に調製された尿素含有液を用い、第一処理済液を得た方法と同様の方法で第二回目の除去工程および分離工程を実施し、第二処理済液を得た。
【００６６】
（比較例１）
実施例２と同様の方法で、第一回目の除去工程、および分離工程を実施し第一処理済液を得た。
次に、薬液としてメタノールを用いる替りに１Ｎ塩酸を用い、第一カラムおよび第二カラムそれぞれに１Ｎ塩酸を２００ｍｌずつ１時間かけて滴下し再生工程を実施した。
その後、上述のとおり再生工程が実施された後の第一カラムおよび第二カラムを、再度、直列に連結し、純水２００ｍｌを１時間かけて滴下しカラム内に残存する塩酸を純水に置換し強酸性陽イオン交換樹脂を洗浄した。そして上述と同様に調製された尿素含有液を用い、第一処理済液を得た方法と同様の方法で第二回目の除去工程および分離工程を実施し、第二処理済液を得た。
【００６７】
尚、各実施例および比較例は、第二カラムから排出された処理済液の尿素濃度が平衡に達する条件で除去工程を実施した。
【００６８】
（評価）
各実施例および比較例において得られた第一処理済液および第二処理済液の尿素濃度をケルダール法により測定した。
具体的には、試料として各第一処理済液、各第二処理済液、およびアンモニウムイオン標準液をイオンクロマト装置に供し、検量線法により各試料中のアンモニウムイオン濃度を求めた。イオンクロマト装置は、日本ダイオネクス株式会社製ＩＣＳ３０００型イオンクロマトグラフを用いた。
次いで、上述で得られたアンモニウムイオン濃度より、各試料における窒素濃度を換算し、これを用いて下記式１にて尿素濃度（ｍｇ／ｌ）を求めた。求められた各第一処理済液および各第二処理済液の尿素濃度を表１に示す。
（式１）尿素濃度（ｍｇ／ｌ）＝窒素濃度（ｍｇ／ｌ）×（尿素の分子量／尿素中の窒素の分子量）
【００６９】
また、各実施例または比較例における除去工程の実施により、尿素含有液（尿素濃度３５０ｍｇ／ｌ）から尿素が除去された尿素除去率を下記式２により求めた。式２より求められた尿素除去率は表１に示す。
（式２）尿素除去率（％）＝［（尿素含有液の尿素濃度（ｍｇ／ｌ）−処理済液の尿素濃度（ｍｇ／ｌ））／尿素含有液の尿素濃度（ｍｇ／ｌ）］×１００
【００７０】
表１に示すように、各実施例および比較例における第一処理済液の尿素濃度は、いずれも２ｍｇ／ｌ以下であり、尿素除去率は９９％以上であった。このことから、第一処理済液を得るために行った第一回目の除去工程では、尿素含有液に含有されていた尿素は、ほぼ完全に強酸性陽イオン交換樹脂に付着し、非常に高効率の尿素除去処理がなされたことが確認された。
【００７１】
実施例１および実施例２の第二処理済液の尿素濃度は、いずれも２ｍｇ／ｌ以下であり、尿素除去率は９９％以上であった。このことから、第二処理済液を得るために行った第二回目の除去工程でも、非常に高効率の尿素除去処理がなされたことが確認された。かかる結果より、第一回目の除去工程と第二回目の除去工程との間において行われた再生工程の実施により、イオン交換樹脂がほぼ１００％の状態に再生されたことが確認された。これによって、メタノールが再生工程の薬液として非常に優れていることが確認された。
【００７２】
一方、再生工程の薬液として塩酸を用いた比較例１の第二処理済液の尿素濃度は、２３．５ｍｇ／ｌであり、第一処理済液の尿素濃度よりも有意に高かった。これにより、比較例１における第一回目の除去工程と第二回目の除去工程との間に行われた再生工程では、イオン交換樹脂を１００％に近いレベルまでは再生できなかったことがわかった。かかる再生の程度は、従来のイオン交換樹脂の再生率を念頭におけば良好な範囲といえるが、再生工程の薬液としてメタノールを用いた実施例１、２ほどの著しく高い再生率は示されなかった。換言すると、メタノールは、再生工程の薬液として従来から薬液として用いられてきた塩酸を上回る再生能力を発揮し得ることが本実施例により示された。また本実施例により、有機溶剤（たとえばアルコール）は、陽イオン交換樹脂の再生工程の薬液として、酸性水溶液と同等以上の再生能力を発揮し得ることが示唆された。
【００７３】
【表１】
0006284038.tif 000002
【００７４】
上記実施形態は、以下の技術思想を包含するものである。
（１）極性をもつ有機化合物である被除去物質を含む処理液と接触したことにより前記被除去物質が付着したイオン交換樹脂を再生するイオン交換樹脂再生方法であって、
有機溶剤を前記イオン交換樹脂に接触させることにより、前記イオン交換樹脂に付着した前記被除去物質を脱離させる再生工程を含むことを特徴とするイオン交換樹脂再生方法。
（２）前記有機溶剤がアルコールを含む上記（１）に記載のイオン交換樹脂再生方法。
（３）前記アルコールがメタノールまたはエタノールを含む上記（２）に記載のイオン交換樹脂再生方法。
（４）前記再生工程後に、前記イオン交換樹脂から分離した使用済アルコールを蒸留し、前記使用済みアルコールを精製する蒸留工程を実施する上記（２）または（３）に記載のイオン交換樹脂再生方法。
（５）前記被除去物質が尿素を含む上記（１）から（４）のいずれか一項に記載のイオン交換樹脂再生方法。
（６）前記処理液が、人工透析に使用された使用済透析液である上記（５）に記載のイオン交換樹脂再生方法。
（７）前記イオン交換樹脂と、前記処理液と、を接触させて前記処理液中に含有される前記被除去物質を前記イオン交換樹脂に付着させて除去する除去工程と、
前記処理液を前記イオン交換樹脂に接触させて得た処理済液を前記イオン交換樹脂から分離する分離工程と、を実施した後に、
前記再生工程を実施する上記（１）から（６）のいずれか一項に記載のイオン交換樹脂再生方法。
（８）上記（１）から（７）のいずれか一項に記載のイオン交換樹脂再生方法を実施するイオン交換樹脂再生装置であって、
被除去物質を含む処理液と接触したことにより前記被除去物質が付着したイオン交換樹脂に有機溶剤を接触させて当該被除去物質を脱離させる再生手段を備えることを特徴とするイオン交換樹脂再生装置。
（９）前記イオン交換樹脂と、前記処理液と、を接触させて前記処理液中に含有される前記被除去物質を前記イオン交換樹脂に付着させて除去する除去槽と、
前記処理液を前記イオン交換樹脂に接触させて得た処理済液を前記イオン交換樹脂から分離する分離手段と、をさらに備える上記（８）に記載のイオン交換樹脂再生装置。
（１０）直列的に連結された複数の前記除去槽を有し、
前記処理液を複数の前記除去槽に直列的に流通させる共有流通路を有し、かつ、
前記再生手段が、前記イオン交換樹脂が収容された複数の前記除去槽それぞれに並列的に前記有機溶剤を供給して前記イオン交換樹脂を再生する手段である上記（８）または（９）に記載のイオン交換樹脂再生装置。
（１１）複数の前記除去槽それぞれは、前記有機溶剤を排出させるための排出路を個別に有しており、
前記有機溶剤は、前記除去槽から前記排出路を通じて複数の前記除去槽の下流に導かれる上記（１０）に記載のイオン交換樹脂再生装置。
（１２）上記（７）に記載のイオン交換樹脂再生方法を含み、
強酸性陽イオン交換樹脂と、第一使用済透析液と、を接触させて前記第一使用済透析液中に含有される被除去物質である尿素を前記強酸性陽イオン交換樹脂に付着させて除去する除去工程と、
前記第一使用済透析液を前記強酸性陽イオン交換樹脂に接触させて得た処理済液である再生透析液を前記強酸性陽イオン交換樹脂から分離する分離工程と、を実施し、
次いで、アルコールを前記強酸性陽イオン交換樹脂に接触させることにより、前記強酸性陽イオン交換樹脂に付着した前記尿素を脱離させる再生工程を実施し、
前記再生工程で再生された前記強酸性陽イオン交換樹脂を用いて、前記第一使用済透析液とは異なる第二使用済透析液を用いて前記除去工程および前記分離工程を実施することを特徴とする使用済透析液再生方法。
【符号の説明】
【００７５】
１０・・・除去槽
２０・・・処理液槽
２２・・・処理液
３０・・・薬液槽
３２・・・有機溶剤
４０・・・洗浄液槽
４２・・・洗浄液
５０・・・処理済液槽
５２・・・処理済液
６０・・・蒸留部
７０・・・廃液槽
７２・・・廃液
８０・・・イオン交換樹脂
１００、２００・・・イオン交換樹脂再生装置
１１２、１１３、１１４、１１６、１１８、１２２、１２６、１２８、１３２、１５０・・・ライン
１１８Ａ・・・第一注入路
１１８Ｂ・・・第二注入路
１２０・・・ポンプ
１２４・・・三方弁
１２５・・・開閉弁
１３０・・・第一除去槽
１３２Ａ・・・第一排出路
１３２Ｂ・・・第二排出路
１４０・・・第二除去槽
【図１】
0006284038.tif 000003
【図２】
0006284038.tif 000004